(57)【特許請求の範囲】
【請求項１】
両端の仕切り板と、両側面のシートによって包囲された鉄筋籠を、掘削溝に降下させ、包囲部の内部にコンクリートを打設して行う地下壁の構築に際し、
掘削溝の肌落ち部に相当する位置のシートを鋼板に置き換え、
鉄筋籠の降下後に包囲部の内部にコンクリートを打設し、
その後に鋼板の外側に向けて、コンクリート内部に配置した注入パイプより充填材を注入して行なう、
連続地下壁の肌落ち充填方法
【請求項２】
両端の仕切り板と、両側面のシートによって包囲された鉄筋籠を、掘削溝に降下させ、包囲部の内部にコンクリートを打設して行う地下壁の構築に際し、
掘削溝の肌落ち部に相当する位置のシートを鋼板に置き換え、
鋼板にはその鉄筋籠側に注入パイプを取り付け、
鉄筋籠の降下後に包囲部の内部にコンクリートを打設し、
鋼板の仕切り板側の両端には凍結柱を形成し、
その後に鋼板の外側に向けて、注入パイプより充填材を注入して行なう、
連続地下壁の肌落ち充填方法
【請求項３】
両端の仕切り板と、両側面のシートによって包囲された鉄筋籠を、掘削溝に降下させ、包囲部の内部にコンクリートを打設して行う地下壁の構築に際し、
掘削溝の肌落ち部に相当する位置のシートを鋼板に置き換え、
鋼板にはその鉄筋籠側に注入パイプを取り付け、
鉄筋籠の降下後に包囲部の内部にコンクリートを打設し、
鋼板の仕切り板側の両端には凍結柱を形成し、
その後に鋼板の外側に向けて、注入パイプより充填材を注入しつつ、
排水パイプより肌落ち部周囲の水を排出して行なう、
連続地下壁の肌落ち充填方法
【発明の詳細な説明】
【０００１】
【産業上の利用分野】
本発明は、連続地下壁を施工中に掘削溝の壁面の土砂が崩壊、落下するような肌落ちが発生した場合、その空間を充填する方法に関するものである。
【０００２】
【従来の技術】
地下壁の施工に際して、掘削した溝の壁面の土砂が崩壊することを肌落ちと称している。
このような肌落ちがあったとしても、溝の内部に直接コンクリートを打設するのであれば、肌落ち部にもコンクリートが充填されるわけであるから、コンクリートの打設量が増加する以外は問題は少ない。
【０００３】
【発明が解決しようとする問題点】
ところが前記した従来の連続地下壁の肌落ち充填方法にあっては、最近は次のような問題点が生じている。
＜イ＞連続地下壁を施工する場合に、図３に示すように鉄筋ａの両端を仕切り板ｂで、またその両側を布シートｃによって包囲した鉄筋籠ａを使用する施工方法が存在する。
これは、先行するユニット（エレメントと称している）のコンクリートが、隣接する後行ユニットへ流出して、コンクリートが回り込むのを防止するために採用するものである。
＜ロ＞肌落ちがあった場合に、このような鉄筋籠の内部にコンクリートｄを打設すると、肌落ち部ｅにおいて布シートｃが外側に膨脹する。そして布シートｃが膨脹できる限界を越えるとコンクリートの圧力によって破断してしまう。
するとコンクリートｄが鉄筋籠ａの外周に流れ出し、後行ユニットにコンクリートｄが回るという事故になってしまう。
＜ハ＞布シートｃが切断しない場合でも、限界近くまで引っ張られると、布シートｃを固定してある両端の仕切り板ｂが内側に引っ張られる。その結果仕切り板が移動して、地中壁の寸法が狂ったり、仕切り板ｂが破壊してしまう可能性がある。
【０００４】
【本発明の目的】
本発明は上記したような従来の問題を解決するためになされたもので、肌落ち部が大きくとも、布シートを破損することなく、完全に充填することができる、連続地下壁の肌落ち充填方法を提供することを目的とする。
さらに仕切り板を移動させるような影響を与えることなく、肌落ち部を完全に充填することができる、連続地下壁の肌落ち充填方法を提供することを目的とする。
【０００５】
【問題点を解決するための手段】
上記のような目的を達成するために、本発明の連続地下壁の肌落ち充填方法は、両端の仕切り板と、両側面のシートによって包囲された鉄筋籠を、掘削溝に降下させ、その内部にコンクリートを打設して行う地下壁の構築に際し、掘削溝の肌落ち部に相当する位置のシートを鋼板に置き換え、鋼板にはその鉄筋籠側に注入パイプを取り付け、鉄筋籠の降下後にその内部にコンクリートを打設し、鋼板の仕切り板側の両端には凍結柱を形成し、その後に鋼板の外側に向けて、注入パイプより充填材を注入して行なう、連続地下壁の肌落ち充填方法を特徴としたものである。
【０００６】
【本発明の構成】
以下図面を参照しながら本発明の連続地下壁の肌落ち充填方法の実施例について説明する。
【０００７】
＜イ＞肌落ち部
地下壁を施工する予定の溝は内部に安定液を充填してバランスを保持している。しかし、掘削が完了してからコンクリートを打設するまでに多少の時間があるから、その間にも部分的に崩壊を起こす場合がある。
こうした地中の壁面の崩壊の状況は、超音波センサーを安定液中に吊り下ろして測定することができる。
あるいは、センサーの測定時にはまだ崩壊していなくと、周囲の地中の状況からコンクリート打設時までの間に肌落ちする可能性が高いと予測される場合もある。本発明はこのような状況において採用する工法である。
【０００８】
＜ロ＞布シートの置き換え
本発明の施工方法に使用する鉄筋籠は次のように構成する。
すなわち、一般には前記したように両端の仕切り板１と、両側面の全面の布シート２によって包囲された鉄筋籠が使用し、これを掘削溝に降下させ、その内部にコンクリートを打設している。
しかし本発明の工法では、両端の仕切り板１は同じであるが、両側の全面の布シート２の内で掘削溝の肌落ち部に相当する位置の布シート２を鋼板３に置き換えたものを使用する。
【０００９】
肌落ち部は前記したようにセンサーによって測定されているか、あるいは周囲の状況から予測できるから、その部分を布製のシートではなく、鋼板３の置き換えたものを現場において製作する。
この鋼板３の大きさは、予想される肌落ち部の面積よりも大きいサイズのものを採用する。
【００１０】
＜ハ＞注入パイプ
布シート２を置き換えた鋼板３には、その鉄筋籠側に注入パイプ４を取り付ける。
そしてこの注入パイプ４の下端を鋼板３の外側に向けて開口し、その上端は鉄筋籠内を通して上部に開口する。
この注入パイプ４と平行に、排水パイプ５も取り付けておく。注入パイプ４からの注入によって押し出された、肌落ち部内の水を、この排水パイプ５によって外部へ排出する。したがって排水パイプ５の下端は、肌落ち部の上部に相当する位置、すなわち鋼板３の上方に開口しておく。
【００１１】
＜ニ＞凍結管
鋼板３の両端、すなわち鋼板３と仕切り板１との交差位置付近には凍結管６を取り付ける。
この凍結管６は例えば二重管となったものを採用する。これは内管に供給した窒素ガスが、外管を通過する際に周囲に凍結氷柱７を形成する構成である。
もちろん二重管タイプではなく、たとえば単管をＵ字状に形成したものなどを採用することもできる。
なお凍結管６はクランク状に形成しておくと、鋼板３の端部にのみ氷柱７を形成し、他の部分には凍結の影響を与えないようにすることができる。
【００１２】
＜ホ＞コンクリートの打設
上記のように構成した鉄筋籠を、掘削溝内に降下する。
その後に、端面は仕切り板１で、両側面は布のシート２と鋼板３とで包囲された鉄筋籠の内部にコンクリートを打設する。
一般に溝の内面の壁は、刃物で切断したように平滑な平面を維持しているのではなく、全面にわたって多少の凹凸が形成されている。しかし、布シート２の部分はコンクリートの内圧によって膨脹するとともに、予め凹凸になじむように余裕長を持たせてあるから、周囲の壁面の多少の凹凸にはなじんで変形する。
しかし鋼板３を取り付けた部分は布シート２のように柔軟に変形して壁面の形状になじむことがない。そのために肌落ち部の空洞は、周囲の多少の凹凸とともにそのまま取り残される。
【００１３】
＜ヘ＞凍結氷柱７の形成
コンクリートが硬化したら凍結管６に液体窒素を通して凍結氷柱７を形成する。この凍結氷柱７は、鋼板３と仕切り板１との交差部に形成されるから、鋼板３と壁面との空間を両側から閉塞することになる。
鋼板３と壁面との空間の上下は、コンクリートの内圧によって外側へ膨脹して壁面の形状になじんだ布シート２ですでに閉塞されているから、鋼板３と肌落ち部を含む周囲の空間は完全に外部から遮断されることになる。
【００１４】
＜ト＞充填
鋼板３にはその鉄筋籠側に注入パイプ４を取り付け、その下端は外側に向けて解放してある。そこで注入パイプ４を通して鋼板３の外側に注入材を供給する。
すると鋼板３と溝の壁面との間に注入材が押し出され、肌落ち部８の内部を充填することができる。
こうしてコンクリートの地下壁を形成した後に、鋼板３の外側のすべての空間を注入材で充填することができる。
なお前記したように鋼板３と肌落ち部８を含む周囲の空間は凍結氷柱７などによって完全に外部から遮断されているから、この注入材が後行ユニットなどの外部へ漏洩することはない。
【００１５】
【発明の効果】
本発明の連続地下壁の肌落ち充填方法は以上説明したようになるから次のような効果を得ることができる。
＜イ＞肌落ち部を無視してまずコンクリートの地下壁を形成してしまい、その後に地下壁の内部を通してその外側の肌落ち空間に注入材を充填して行う方法である。
したがって肌落ち部の容積が大きくとも、コンクリート地下壁の形成にはなんら影響を与えることなく、完全に対応することができる。
＜ロ＞従来の布シート２のようにコンクリートの打設時に外部へ膨脹する部材がないから、破損したり、仕切り板１に無理な力を与えて変形するようなことがなく、どこも変形、変位することがなく施工精度のよい地下壁を構築することができる。
【図面の簡単な説明】
【図１】本発明の連続地下壁の肌落ち充填方法の実施例の説明図
【図２】その肌落ち部の状態の説明図
【図３】従来の施工方法の場合の肌落ち部の状態の説明図
【図１】
0003635358.tif 000002
【図２】
0003635358.tif 000003
【図３】
0003635358.tif 000004